【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
少なくとも１つの販売促進物品を含む複数のオファーを配布および追跡するための規則を含む、販売促進物品および販売促進キャンペーン情報を受信するように構成される受信デバイスと、
前記受信デバイスにおいて受信された前記販売促進物品および販売促進キャンペーン情報を記憶するように構成される記憶デバイスと、
前記記憶デバイスから１つの販売促進物品を取得し、１つの販売促進物品とともに１つのコードを含む１つのオファーを提供するように構成される送信モジュールを備える処理装置であって、前記送信モジュールが前記１つのコードを含む前記オファーを、ユーザコンピューティングデバイスによる使用のためにユーザに送信するように構成される、処理装置と、
前記コードを前記ユーザコンピューティングデバイスから、売り場に関連する売り場のデバイスを経由して取得し、それにより、前記コードに関する前記販売促進物品に対する引換インジケーションをトリガするように構成される、収集装置であって、前記売り場のデバイスが、前記処理装置に前記引換インジケーションを送信するように構成され、前記処理装置が、前記オファーの引換の確認を、前記売り場のデバイスが前記オファーの承認された引換のインジケーションを提供することなく行うように構成される、収集装置と、を備え、
前記処理装置が追跡装置を備え、該追跡装置が、販売促進物品に対する前記引換インジケーション及び前記ユーザコンピューティングデバイスの位置に関する全地球測位情報を受信し、前記オファーが依然として有効な場合に、前記引換インジケーションと全地球測位情報とに基づき前記オファーの承認または否認を前記売り場のデバイスに送信し、少なくとも１つの加入売り場のデバイスによる前記販売促進物品のさらなる使用を、前記全地球測位情報及び前記売り場のデバイスからの引換インジケーションの受信に基づき、前記記憶デバイスで維持され、前記少なくとも１つの加入売り場に送信された、確立された規則に従って制限するように構成される追跡装置を備える、
コンピューティングデバイス。
【請求項２】
請求項１に記載のコンピューティングデバイスであって、
前記ユーザコンピューティングデバイスにより提供される前記コードは、前記ユーザコンピューティングデバイスから前記コンピューティングデバイスに提供されることを特徴とするコンピューティングデバイス。
【請求項３】
請求項１に記載のコンピューティングデバイスであって、
前記ユーザコンピューティングデバイスにより提供される前記コードは、前記売り場のデバイスから前記コンピューティングデバイスに提供されることを特徴とするコンピューティングデバイス。
【請求項４】
請求項１に記載のコンピューティングデバイスであって、
前記収集装置は、前記引換インジケーションがトリガされた後で前記売り場のデバイスおよび／またはユーザコンピューティングデバイスに承認を提供するように構成されることを特徴とするコンピューティングデバイス。
【請求項５】
請求項１に記載のコンピューティングデバイスであって、
前記追跡装置は、前記引換インジケーションがトリガされると前記販売促進物品を無効化するように構成されることを特徴とするコンピューティングデバイス。
【請求項６】
請求項５に記載のコンピューティングデバイスであって、
前記追跡装置は、前記販売促進物品の無効化のインジケーションを、少なくとも１つの売り場のコンピューティングデバイスおよび／またはユーザコンピューティングデバイスに送信するようにさらに構成されることを特徴とするコンピューティングデバイス。
【請求項７】
請求項１に記載のコンピューティングデバイスであって、
前記販売促進物品は、クーポンおよび払戻しからなる群からの１つを含むことを特徴とするコンピューティングデバイス。
【請求項８】
請求項１に記載のコンピューティングデバイスであって、
前記ユーザが前記売り場で前記ユーザのコンピューティングデバイス上で利用可能なインジケーションを提示することが、前記引換インジケーションのトリガを引き起こすのに十分であることを特徴とするコンピューティングデバイス。
【請求項９】
コンピューティングデバイスの受信デバイスが、少なくとも１つの販売促進物品を含む複数のオファーを配布および追跡するための規則を含む、販売促進キャンペーン情報を受信するステップと、
前記コンピューティングデバイスの記憶デバイスで、前記複数のオファーを配布および追跡するための規則を含む、前記少なくとも１つの販売促進物品および販売促進キャンペーン情報を記憶するステップと、
１つの販売促進物品を取得し、プロセッサを用いて前記１つの販売促進物品を少なくとも１つのオファーに処理し、１つの販売促進物品とともに１つのコードを含む１つのオファーを提供し、１つのコードを含む前記オファーを前記コンピューティングデバイスに位置する送信デバイスから送信するステップと、
売り場に関連する売り場のデバイスで、前記コードおよびユーザデバイスからの処置からなる群からの１つを取得し、それにより、前記販売促進物品に対する引換インジケーションをトリガするステップと、
前記売り場のデバイスが前記オファーの承認された引換を表示することなく、前記オファーの引換を確認するため、前記売り場のデバイスから前記コンピューティングデバイスに前記引換インジケーションを送信するステップと、
前記コンピューティングデバイスの受信デバイスが、前記販売促進物品に対する前記引換インジケーション及び前記ユーザデバイスの位置を示す全地球測位情報を受信するステップと、
前記コンピュータデバイスにより前記オファーが依然として有効だと判断された場合に、前記オファーの引換の承認を前記コンピュータデバイスから前記売り場のデバイスに送信するステップと、
少なくとも１つの加入売り場のデバイスによる前記販売促進物品のさらなる使用を、前記全地球測位情報及び前記売り場のデバイスからの引換インジケーションの受信に基づき、前記コンピューティングデバイスで維持され、前記少なくとも１つの加入売り場に送信された、確立された規則に従って制限するステップと、
を含むことを特徴とする方法。
【請求項１０】
請求項９に記載の方法であって、
前記コードは、ユーザデバイスから前記コンピューティングデバイスに提供されることを特徴とする方法。
【請求項１１】
請求項９に記載の方法であって、
前記コードは、前記売り場のデバイスから前記コンピューティングデバイスに提供されることを特徴とする方法。
【請求項１２】
請求項９に記載の方法であって、
前記引換インジケーションがトリガされた後に前記売り場および／またはユーザデバイスに承認コードを提供するステップをさらに含むことを特徴とする方法。
【請求項１３】
請求項９に記載の方法であって、
前記引換インジケーションがトリガされると前記販売促進物品を無効化するステップをさらに含むことを特徴とする方法。
【請求項１４】
請求項１３に記載の方法であって、
前記販売促進物品の無効化のインジケーションを、少なくとも１つの売り場および／またはユーザコンピューティングデバイスに送信するステップをさらに含むことを特徴とする方法。
【請求項１５】
請求項９に記載の方法であって、
前記販売促進物品は、クーポンおよび払戻しからなる群からの１つを含むことを特徴とする方法。
【請求項１６】
請求項９に記載の方法であって、
前記ユーザは、前記売り場で前記ユーザのコンピューティングデバイス上で利用可能なインジケーションを提示することが、前記引換インジケーションをトリガすることを引き起こすのに十分であることを特徴とする方法。
【請求項１７】
少なくとも１つの販売促進物品を含む複数のオファーを配布および追跡するための規則を含む、販売促進物品および販売促進キャンペーン情報を受信するように構成される受信デバイスと、
前記受信デバイスに接続され、前記受信デバイスにて受信された前記販売促進物品および販売促進キャンペーン情報を記憶するように構成される記憶デバイスと、
前記記憶デバイスから１つの販売促進物品を取得し、１つの販売促進物品とともに１つの検証要素を含む１つのオファーを決定して提供するように構成される送信モジュールを備える処理装置であって、前記送信モジュールが前記１つの検証要素を含む前記オファーを、ユーザコンピューティングデバイスによる使用のためにユーザに送信するように構成される、処理装置と、
売り場における売り場のデバイスを経由して前記ユーザコンピューティングデバイスから前記検証要素を取得し、それにより、前記検証要素に関する前記販売促進物品に対する引換インジケーションをトリガするように構成される収集装置であって、前記売り場のデバイスが、前記処理装置に前記引換インジケーションを送信するように構成され、前記処理装置が、前記オファーの承認された引換のインジケーションを前記売り場のデバイスが提供することなく、前記オファーの引換を確認することで、前記ユーザが前記売り場にて恩恵を受けることを選択的に可能にするように構成される、収集装置と、を備え、
前記処理装置が追跡装置を備え、該追跡装置が、前記売り場のデバイスからの前記販売促進物品に対する前記引換インジケーション及び前記ユーザコンピューティングデバイスの位置に関する全地球測位情報を受信し、前記オファーが依然として有効な場合に、前記オファーの引換の承認または不承認を前記売り場のデバイスに送信し、少なくとも１つの加入売り場のデバイスによる前記販売促進物品のさらなる使用を、前記全地球測位情報及び前記売り場のデバイスからの引換インジケーションの受信に基づき、前記記憶デバイスで維持され、前記少なくとも１つの加入売り場に送信された、確立された規則に従って制限するように構成される、
ことを特徴とするコンピューティングデバイス。
【請求項１８】
請求項１７に記載のコンピューティングデバイスであって、
前記ユーザにより提供される前記検証要素は、前記ユーザコンピューティングデバイスから前記コンピューティングデバイスに提供されることを特徴とするコンピューティングデバイス。
【請求項１９】
請求項１７に記載のコンピューティングデバイスであって、
前記ユーザにより提供される前記検証要素は、前記売り場のデバイスで受信され、前記検証要素の受信のインジケーションが、前記売り場のデバイスから前記コンピューティングデバイスに送信されることを特徴とするコンピューティングデバイス。
【請求項２０】
請求項１７に記載のコンピューティングデバイスであって、
前記ユーザが、前記売り場で前記ユーザのコンピューティングデバイス上で利用可能なインジケーションを提示することが、前記引換インジケーションをトリガすることを引き起こすのに十分であることを特徴とするコンピューティングデバイス。
【請求項２１】
請求項１７に記載のコンピューティングデバイスであって、
前記収集装置は、引換情報を受信するようにさらに構成され、
前記引換情報は、引換の日時、前記引換の地理的位置、前記引換を引き起こす前記ユーザに関するユーザ行動データ、および前記引換に関連する販売員データからなる群からの１つを含むことを特徴とするコンピューティングデバイス。
【請求項２２】
コンピューティングデバイスに配置された送信デバイスから引換インジケーションを含む１つのオファーを顧客デバイスに送信するステップと、
売り場に関連する売り場のデバイスに対して、前記顧客デバイスに送信された前記引換インジケーション及び前記顧客デバイスの全地球測位情報の取得を可能にし、それにより、前記引換インジケーションに関連する前記販売促進物品に対する引換インジケーション承認要求をトリガするステップと、
前記売り場のデバイスから前記コンピューティングデバイスに前記引換インジケーション承認要求を送信するステップと、
前記１つのオファーが前記コンピューティングデバイスによって有効であると承認されると、前記コンピューティングデバイスから前記売り場のデバイスに承認インジケーションを送信するステップと、
を含み、
前記コンピューティングデバイスが、前記オファーの承認時及び前記オファーの不承認時のいずれの場合にも、前記顧客デバイスの位置に関する前記全地球測位情報に基づき、確立された規則に従って少なくとも１つの加入売り場のデバイスによる前記販売促進物品のさらなる使用を制限するように構成され、承認及び不承認が、提供された前記規則に基づき前記コンピューティングデバイスによって決定され、前記コンピューティングデバイスによって前記少なくとも１つの売り場のデバイスに選択的に供給される、ことを特徴とする方法。
【請求項２３】
請求項２２に記載の方法であって、
前記コンピューティングデバイスから送信する前記ステップは、ＳＭＳ（ショートメッセージングサービス）によって行われることを特徴とする方法。